(57)【要約】      （修正有）【課題】ゴルフボールの打球方向を地面に表示することができるゴルフティーを提供する。【解決手段】ヘッド１０ａにゴルフボールが載せられ、内側には光を発光する発光部１１と、これに対応するように位置されて、前記発光部の光を屈折させる反射板１２と、前記反射板を通じて屈折された発光部の光を外部に露出する案内孔１３を備えた上部本体１０と；前記上部本体の下端に着脱可能に連結し、内側には前記ヘッドに置かれるゴルフボールの荷重によって前記発光部に選択的な電源を供給するバッテリー部２１を備えた下部本体２０とを含み、前記上部本体と下部本体は連結部材３０を通じて相互連結して構成する。【選択図】図３
2017086854.tif 000002
【特許請求の範囲】
【請求項１】
ヘッド（１０ａ）にゴルフボール（Ｂ）が載せられ、内側には光（Ｌ）を発光する発光部（１１）と、これに対応するように位置して前記発光部（１１）の光（Ｌ）を屈折させる反射板（１２）と、前記反射板（１２）を通じて屈折された発光部（１１）の光（Ｌ）を外部に露出する案内孔（１３）とを備えた上部本体（１０）と；
前記上部本体（１０）の下端に着脱可能に連結され、内側には前記ヘッド（１０ａ）に載せられるゴルフボール（Ｂ）の荷重によって前記上部本体（１０）の下端と密着して前記発光部（１１）に電源を供給するバッテリー部（２１）を備えた下部本体（２０）とを含み、
前記上部本体（１０）と下部本体（２０）は伸縮する連結部材（３０）を通じて連結されることを特徴とするゴルフボールの打球方向を地面にラインで表示するゴルフティー。
【請求項２】
前記発光部（１１）は前記上部本体（１０）の内側に設置される発光器（１１ａ）と、前記発光器（１１ａ）と電気的に連結され、前記下部本体（２０）と連結する部位に備えられる第１接点素子（１１ｂ）とを含んで構成されることを特徴とする請求項１に記載のゴルフボールの打球方向を地面にラインで表示するゴルフティー。
【請求項３】
前記バッテリー部（２１）は、
前記下部本体（２０）の内側に設置されるバッテリー（２１ａ）と、
前記バッテリー（２１ａ）と電気的に連結されて前記第１接点素子（１１ｂ）と対応する位置に備えられる第２接点素子（２１ｂ）とを含んで構成されることを特徴とする請求項２に記載のゴルフボールの打球方向を地面にラインで表示するゴルフティー。
【請求項４】
前記上部本体（１０）は前記下部本体（２０）と連結される部位に複数の結合突起（１０ｂ）を備え、
前記下部本体（２０）は前記結合突起（１０ｂ）と対応する位置に複数の結合溝（２０ａ）を備えることを特徴とする請求項１に記載のゴルフボールの打球方向を地面にラインで表示するゴルフティー。
【請求項５】
前記反射板（１２）は前記発光部（１１）の光（Ｌ）が入射される場合、光（Ｌ）が入射される部位を基準として３０〜７０゜の光（Ｌ）屈折角を成すように前記発光部（１１）と対向するように設置されることを特徴とする請求項１に記載のゴルフボールの打球方向を地面にラインで表示するゴルフティー。
【請求項６】
前記下部本体（２０）は前記上部本体（１０）と連結した電源を遮断する場合、これを感知して所定期間外部に音響を発信する音響発信部（２４）をさらに備えて構成されることを特徴とする請求項１に記載のゴルフボールの打球方向を地面にラインで表示するゴルフティー。
【請求項７】
前記案内孔（１３）は前記上部本体（１０）の外周面に沿って複数形成され、前記反射板（１２）は前記発光部（１１）を通じて入射される光（Ｌ）を前記案内孔（１３）を通じて外部に発散するように形成されることを特徴とする請求項１に記載のゴルフボールの打球方向を地面にラインで表示するゴルフティー。
【請求項８】
前記上部本体（１０）は前記発光器（１１ａ）の移動を制御するために貫通して結合される調節部（４０）を含んで構成することを特徴とする請求項２に記載のゴルフボールの打球方向を地面にラインで表示するゴルフティー。
【請求項９】
前記下部本体（２０）には前記バッテリー部（２１）の第２接点素子（２１ｂ）と接点を成し、前記バッテリー（２１ａ）に充電器（６０）の電源を伝達する充電器連結具（５０）をさらに結合して構成することを特徴とする請求項３に記載のゴルフボールの打球方向を地面にラインで表示するゴルフティー。
【発明の詳細な説明】
【技術分野】
【０００１】
本発明はゴルフボールの打球方向を地面にラインで表示するゴルフティーに関するもので、具体的には上部本体のヘッドに載せられたゴルフボールの打球方向をゴルフを楽しむ使用者が円滑に認識することができるようにするゴルフボールの打球方向を地面にラインで表示するゴルフティーに関するものである。
【背景技術】
【０００２】
ゴルフティーとは、ゴルフボールの打撃時にゴルフボールが地面から離隔された状態を保持することができるようにするための器具で、ゴルフボールの打撃を便利にする補助器具である。
【０００３】
このようなゴルフティーはゴルフを楽しむために提供されるゴルフ用品の中でも必須に用いる消耗品として、形成する模様によって多様な形態のゴルフティーが提供されている。
【０００４】
また、ゴルフティーはドライバーのヘッドにボールが半分程度の高さになるように指定された地面に刺して用いることが好ましい。主に木材、プラスチック、弾性樹脂のような材質で製作され、用いる材質によってそれぞれの特徴と長所及び短所がある。
【０００５】
最近には、このようなゴルフティーの構造を改善してゴルフ競技や練習時にゴルフティーの上部に載せられたゴルフボールの打球方向を使用者に予め知らせて、ゴルフを楽しむ使用者の心理的安定を図り、ゴルフの練習效果を高めることができる多様なゴルフティーが提案されている実情である。
【０００６】
例えば、特許文献１、特許文献２、特許文献３のように、ゴルフティーの一側に方向指示棒または矢印などを付着してゴルフボールの打球方向を使用者が認識することができるように構成したゴルフティーが提案されたことがある。
【０００７】
しかし、特許文献１、特許文献２、特許文献３のような従来のゴルフティーは、一般的に用いられるゴルフティーとはその形状が異なり、ゴルフを楽しむ使用者が便利に選択して使うには異質感を感じるという問題があった。ゴルフティーの外側に付着されてゴルフボールの打撃方向を表示する方向指示棒または矢印などの構成はゴルフティーの大きさを増加させるか、ゴルフティーの外形を変化させることにより、ゴルフを楽しむ使用者が便利に携帯して使うには問題があった。
【０００８】
さらに、特許文献１、特許文献２、特許文献３のような従来のゴルフティーはゴルフボールを載せてゴルフボールの打球方向を表示することができる目的は達することができるが、ゴルフボールを打撃した後には簡単に破損される問題があり、ゴルフボールの打撃時に発生する衝撃により外形が変形されたり損傷されてゴルフボールの打球方向を表示するための本来の機能を円滑で持続的に果たしにくいという問題があった。
【０００９】
そして、上記のように、簡単に破損される問題により、持続的で安定的なゴルフティーの使用が難しいという問題と、それによる不必要な購入費用などが増大されるという問題があった。上記のような従来のゴルフティーは、ゴルフボールの打撃後にゴルフティーの移動方向を使用者に知らせにくくてゴルフを楽しむ途中にゴルフティーが頻繁に紛失されるという問題があった。
【先行技術文献】
【特許文献】
【００１０】
【特許文献１】大韓民国登録実用新案第２０−０３１９８９４（２００３．０７．０２）
【特許文献２】大韓民国登録実用新案第２０−０３６９５８６（２００４．１１．２９）
【特許文献３】大韓民国公開実用新案公開番号  第２０−２０１１−０００３７８９（２０１１．０４．２０）
【発明の概要】
【発明が解決しようとする課題】
【００１１】
本発明は上述した問題点を解決するために案出されたもので、本発明の目的は次の通りである。
【００１２】
第一、ゴルフティーに載せられたゴルフボールの打球方向をゴルフを楽しむ使用者に便利に知らせることができるゴルフティーを提供することにある。
【００１３】
第二、ゴルフティーの見掛けを変形したり別途の構成を付着しなくてもゴルフティーの上部に載せられたゴルフボールの打球方向を便利に地面に表示することができるゴルフティーを提供することができる。
【００１４】
第三、ゴルフボールを打撃した後にもゴルフティーが落ちた方向を便利に把握して捜すことができて、ゴルフティーの紛失を防止することができる。
【００１５】
第四、ゴルフボールの打球方向がゴルフティーが刺された地面に正確に表示されるようにして、ゴルフボールを打撃する使用者のアドレス姿勢と方向を正確に保持することができるようにすることで、ゴルフをする使用者が姿勢練習と打撃練習を效率的に行うことができる。
【課題を解決するための手段】
【００１６】
上記目的を達するために、本発明は、ヘッドにゴルフボールが載せられ、内側には光を発する発光部と、これに対応するように位置して上記発光部の光を屈折させる反射板と、上記反射板を通じて屈折された発光部の光を外部に露出する案内孔を備えた上部本体と；上記上部本体の下端に着脱可能に連結され、内側には上記ヘッドに載せられるゴルフボールの荷重によって上記上部本体の下端と密着して上記発光部に電源を供給するバッテリー部を備えた下部本体とを含み、上記上部本体と下部本体は伸縮する連結部材を通じて連結して構成することができる。
【００１７】
この時、上記発光部は上記上部本体の内側に設置される発光器と、上記発光器と電気的に連結され、上記下部本体と連結される部位に備えられる第１接点素子を含んで構成することができる。
【００１８】
また、上記バッテリー部は上記下部本体の内側に設置されるバッテリーと、上記バッテリーと電気的に連結され、上記第１接点素子と対応する位置に備えられる第２接点素子とを含んで構成することができる。
【００１９】
また、上記上部本体は上記下部本体と連結される部位に複数の結合突起を備え、上記下部本体は上記結合突起と対応する位置に複数の結合溝を形成して構成することができる。
【００２０】
そして、上記反射板は上記発光部の光が入射される場合、光が入射される部位を基準として３０〜７０゜の光屈折角を成すように上記発光部と対向するように設置されることができる。
【００２１】
一方、上記下部本体は上記上部本体と連結した電源を遮断する場合、これを感知して所定期間外部に音響を発信する音響発信部をさらに備えて構成することができる。
【００２２】
また、上記案内孔は上記上部本体の外周面に沿って複数形成され、上記反射板は上記発光部を通じて入射される光を上記案内孔を通じて外部に発散するように形成することができる。
【００２３】
また、上記上部本体は上記発光器の移動を制御するために貫通結合される調節部を含んで構成することができる。
【００２４】
さらに、上記下部本体には上記バッテリー部の第２接点素子と接点を成し、上記バッテリーに充電器の電源を伝達する充電器連結具をさらに結合して構成することができる。
【発明の効果】
【００２５】
第一、本発明によれば、発光部の光が反射板を通じてゴルフティーが載せられた地面にライン形状を成すように照らすことによって、ゴルフティーに載せられたゴルフボールの打球進行方向をゴルフを楽しむ使用者が便利に認識してゴルフを楽しむことができる。
【００２６】
第二、また、ゴルフティーの見掛けを変形したり別途の構成を付着しなくてもゴルフティーの上部に載せられたゴルフボールの打球方向を便利に地面に表示することができて、使用上の便利を確保し、效率的で安定的に使用することができる。
【００２７】
第三、そして、ゴルフボールが打撃された後にもゴルフティーが落ちた方向を便利に把握して捜すことができて、ゴルフティーの紛失を防止することができ、それによる不必要な製作費用と保持費用などが増大されることを防止して、安定的に使用することができる。
【００２８】
第四、ゴルフボールの打球方向がゴルフティーが刺された地面に正確に表示されるようにすることにより、ゴルフボールを打撃する使用者のアドレス姿勢と方向を正確にすることができるように誘導することができて、ゴルフを楽しむ使用者の姿勢練習と打撃練習を效率的にすることができる。
【図面の簡単な説明】
【００２９】
【図１】本発明のゴルフボールの打球方向を地面にラインで表示するゴルフティーの斜視図。
【図２】本発明のゴルフボールの打球方向を地面にラインで表示するゴルフティーの側面図。
【図３】本発明のゴルフボールの打球方向を地面にラインで表示するゴルフティーの断面図。
【図４】本発明によるゴルフティーの上部本体ヘッドにゴルフボールが載せられた状態を示す断面図。
【図５】本発明のゴルフボールの打球方向を地面にラインで表示するゴルフティーの使用状態断面図。
【図６】本発明のゴルフボールの打球方向を地面にラインで表示するゴルフティーの使用状態図。
【図７】本発明のゴルフボールの打球方向を地面にラインで表示するゴルフティーの他の使用状態断面図。
【図８】本発明のゴルフボールの打球方向を地面にラインで表示するゴルフティーの上部本体と下部本体に結合突起と結合溝が備えられた状態を示す断面図。
【図９】本発明のゴルフボールの打球方向を地面にラインで表示するゴルフティーに他の実施例による反射板が結合された状態を示す断面図。
【図１０】本発明のゴルフボールの打球方向を地面にラインで表示するゴルフティーに他の実施例による反射板が結合された状態を示す断面図。
【図１１】本発明のゴルフボールの打球方向を地面にラインで表示するゴルフティーに調節部が結合された状態を示す断面図。
【図１２】本発明のゴルフボールの打球方向を地面にラインで表示するゴルフティーに充電器連結具が結合された状態を示す断面図。
【図１３】本発明のゴルフボールの打球方向を地面にラインで表示するゴルフティーに充電器連結具が結合された他の状態を示す断面図。
【図１４】本発明のゴルフボールの打球方向を地面にラインで表示するゴルフティーに充電器連結具が結合されたまた他の状態を示す断面図。
【発明を実施するための形態】
【００３０】
本明細書及び請求範囲で用いられる用語や単語は、通常的または辞書的意味に限定して解釈されてはならなく、発明者はその自分の発明を最も最善の方法で説明するために用語の概念を適切に定義することができると言う原則に即して、本発明の技術的思想に符合する意味と概念に解釈すべきである。
【００３１】
また、本明細書に記載された実施例と図面に示す構成は、本発明の好ましい実施例に過ぎなく、本発明の技術的思想を全部代弁するのではないため、本出願時点においてこれらを代替することができる多様な均等物と変形例があり得ることを理解すべきである。
【００３２】
また、本発明のゴルフボールの打球方向を地面にラインで表示するゴルフティーを説明する際に、上端は上部本体と下部本体との結合部位を中心としてゴルフボールが載せられるヘッド方向を上端と命名し、下端は下部本体が地面に結合する方向を下端と命名して説明する。
【００３３】
本発明はヘッド１０ａにゴルフボールＢが載せられ、内側には光Ｌを発する発光部１１と、これに対応するように位置して上記発光部１１の光Ｌを屈折させる反射板１２と、上記反射板１２を通じて屈折された発光部１１の光Ｌを外部に露出する案内孔１３を備えた上部本体１０と；上記上部本体１０の下端に着脱可能に連結され、内側には上記ヘッド１０ａに載せられるゴルフボールＢの荷重によって上記上部本体１０の下端と密着して上記発光部１１に電源を供給するバッテリー部２１を備えた下部本体２０とを含んで構成され、上記上部本体１０と下部本体２０は伸縮する連結部材３０を通じて連結される。
【００３４】
上記上部本体１０は、図１〜図３に示すように、上部本体１０の上部にゴルフボールＢを載せることができるヘッド１０ａを備える。
【００３５】
この時、上記ヘッド１０ａを備えた上部本体１０の形状は、図５及び図６に示すように、地面Ｇに刺された上部本体１０の上部にゴルフボールＢを載せることができる構造であれば、使用者の選択によって多様にその形状を変更して構成することができる。
【００３６】
そして、上記発光部１１は、図３〜図５に示すように、上記上部本体１０の内側に備えられるもので、上記上部本体１０の内側に上記発光部１１が位置されることができる所定空間を形成し、上記空間の内側に発光部１１を堅固に設置する。
【００３７】
この時、上記発光部１１は、図３〜図５に示すように、上記上部本体１０の内側に設置される発光器１１ａと、上記発光器１１ａと電気的に連結され、上記下部本体２０と連結される部位に備えられる第１接点素子１１ｂとを含んで構成する。
【００３８】
このような構成は、図５に示すように、上記上部本体１０の内側に位置した発光器１１ａの構成を通じて光Ｌを発散する場合、上記発光器１１ａの光Ｌが上記上部本体１０の内側に備えられた反射板１２を通じて屈折され、上記上部本体１０の案内孔１３の外側に案内されるようにするためのものである。
【００３９】
また、上記反射板１２は上記発光器１１ａの光Ｌを円滑に屈折させることができるようにするために、無電解めっきされたクロム、アルミニウム蒸着反射膜、クロム薄板、アルミニウム薄板の中で選択された何れか一つで形成することが好ましい。上記発光部１１の発光器１１ａの光Ｌが入射される部位、即ち上記発光器１１ａの光Ｌを屈折させる部位が凸形、凹形、平板形の中で選択された何れか一つの形状で形成されるように構成する。
【００４０】
これは、図５に示すように、上記反射板１２の形状が凸出したラウンド形状を有するように構成して上記上部本体１０の内側に構成することができ、図９に示すように、上記反射板１２が凹まれたラウンド形状を成すように構成して上記上部本体１０の内側に構成することもできる。
【００４１】
即ち、上記反射板１２は上記発光器１１ａの光Ｌを上部本体１０の外側に円滑に反射させることができるようにラウンド形状を成すように構成することが好ましい。このために、上記発光器１１ａと対向する位置を成すように上記上部本体１０の内側に構成する。
【００４２】
そして、上記発光器１１ａと反射板１２は上記上部本体１０の内側に設置される場合、上記発光器１１ａの光Ｌが反射板１２に入射されて屈折される場合にも、上記上部本体１０の案内孔１３の方向に円滑に抜け出ることができるように形成することがより好ましい。このために、上記反射板１２は上記発光器１１ａの光Ｌが入射される場合、光Ｌが入射される部位を基準として３０〜７０゜の光Ｌの屈折角を成すように上記発光部１１と対向するように設置する。
【００４３】
上記のような構成は、即ち上記発光器１１ａの光Ｌが上記反射板１２と直角を成して入射される場合、上記反射板１２に伝達される光Ｌの入射角と反射角が同一で、上記発光器１１ａの光Ｌが反射板１２を通じて案内孔１３の方向に円滑に案内されないことを防止するための構成であり、図５に示すように、上記発光器１１ａの光Ｌが反射板１２を通じて上部本体１０の案内孔１３を通して地面Ｇに円滑に達するようにするためのものである。
【００４４】
これによって、図５及び図６に示すように、本発明によるゴルフティーを地面Ｇに刺して用いる場合にも上記発光部１１の発光器１１ａの光Ｌが反射板１２に入射された後円滑に屈折され、同時に、上記反射板１２を通じて屈折された光Ｌが上記上部本体１０の案内孔１３を通じて上部本体１０の外部に発光されてゴルフティーが刺された地面Ｇを照らしていくことができるようになる。
【００４５】
この時、上記上部本体１０に案内孔１３を形成する構成は、上記反射板１２を通じて屈折される発光器１１ａの光Ｌが使用者が選択した方向にライン形状を成すように発するようにするためであり、このような発光器１１ａの光Ｌ方向を使用者が円滑に確認してゴルフティーに載せられたゴルフボールＢの打球方向を簡単に予測することができるようにするためである。
【００４６】
そして、これを通じてゴルフボールＢの打球方向がゴルフティーが刺された地面Ｇに正確に表示されるようにすることによって、ゴルフボールＢを打撃する使用者のアドレス姿勢と方向を正確にすることができるようにする。
【００４７】
一方、上記上部本体１０は、図７に示すように、地面Ｇに刺して用いる場合、ゴルフクラブＳの打撃が直接伝達されるため、外部衝撃にも柔軟に対応することができるポリウレタン材質で形成することが好ましい。
【００４８】
また、上記下部本体２０は、説明したように、上記上部本体１０と着脱可能に結合することができる形状で構成され、上記上部本体１０のヘッド１０ａに載せられるゴルフボールＢの荷重によって上記発光部１１に選択的な電源を供給することができるバッテリー部２１を備える。
【００４９】
即ち、上記下部本体２０は、図３〜図５に示すように、上記上部本体１０との結合状態によって、上記上部本体１０に備えられた発光部１１に電源を印加することができるように構成され、本発明ではこのような電源供給手段で上記バッテリー部２１を構成する。
【００５０】
また、上記バッテリー部２１は、図３に示すように、上記下部本体２０の内側に設置されるバッテリー２１ａと、上記バッテリー２１ａと電気的に連結され、上記第１接点素子１１ｂと対応する位置に備えられる第２接点素子２１ｂとを含んで構成される。
【００５１】
この時、上記第２接点素子２１ｂは上記バッテリー２１ａと電気的に連結され、上記発光部１１の第１接点素子１１ｂと選択的に密着されることができるように構成される。
【００５２】
このような構成をより詳しく説明すれば、上記バッテリー部２１のバッテリー２１ａは外部電源または電源を貯蓄することができる従来の蓄電池、バッテリーなどを適用して構成することが好ましく、リチウムイオン乾電池を用いることがより好ましい。
【００５３】
また、上記第２接点素子２１ｂは上記バッテリー２１ａの電源が上記発光部１１に伝達されることができるように上記バッテリー２１ａと電気的に連結される。
【００５４】
即ち、図３に示すように、上記上部本体１０と下部本体２０とが結合された状態では、上記下部本体２０の第２接点素子２１ｂが上部本体１０の第１接点素子１１ｂと離隔された状態を成すように保持され、図４に示すように、ゴルフボールＢが上部本体１０のヘッド１０ａに載せられた場合には、ゴルフボールＢの荷重によって上部本体１０が下部本体２０の方向に自然に傾いて、上部本体１０の第１接点素子１１ｂと下部本体２０の第２接点素子２１ｂが密着されるようになる。
【００５５】
特に、上記のように上部本体１０の第１接点素子１１ｂと下部本体２０の第２接点素子２１ｂが密着される場合には、図５に示すように、上記第２接点素子２１ｂと連結されたバッテリー２１ａの電源が上記第１接点素子１１ｂと連結された発光部１１に伝達されて発光部１１が光を発散することができるようになる。
【００５６】
また、このような上部本体１０と下部本体２０との結合方式と、上部本体１０と下部本体２０との結合で選択的に接点を成す第１接点素子１１ｂと第２接点素子２１ｂの構成は使用者の選択によって多様に変更して構成することができるが、本発明では、図３に示すように、上記上部本体１０と下部本体２０が連結部材３０を通じて連結されるように構成され、上記連結部材３０と下部本体２０との連結部位を中心として下部本体２０の上部で上部本体１０が移動されることができるように構成する。
【００５７】
また、上記連結部材３０は上記上部本体１０と下部本体２０とを連結する場合にも上部本体１０または下部本体２０の使用が妨害されないように連結されることが好ましく、本発明では詳しく図示して説明しなかったが、上記下部本体２０には上記連結部材３０の一側が連結され、上記上部本体１０の下端一側を支持して、上部本体１０と下部本体２０が図２及び図３で離隔されるように結合された状態を成すことができるようにする支持突起２２を備える。
【００５８】
それにより、上記上部本体１０と下部本体２０とが上記のように結合される場合には、図２及び図３に示すように、上記上部本体１０と下部本体２０とを連結する連結部材３０を通じて相互連結された状態を堅固に保持することができる。
【００５９】
そして、上記連結部材３０はシリコーンゴムで形成することが好ましく、上記連結部材３０は上記上部本体１０と下部本体２０を図３に示すように連結することにより、図７に示すように、上記上部本体１０のヘッド１０ａにゴルフボールＢを載せ、これを打撃する練習をする場合にも上部本体１０と下部本体２０が完全に分離されることを防止する。
【００６０】
さらに、上記連結部材３０は上記上部本体１０と下部本体２０をより堅固に連結するために凹凸形状を成すように構成することができ、連結部材３０が簡単に破損されたり切れることを防止するために、１ｃｍ以上の厚さで形成することもできる。しかし、このような連結部材３０の長さ及び厚さは使用者の選択によって多様に変更して適用することができることは勿論である。
【００６１】
また、上記上部本体１０は上記下部本体２０と連結する部位に複数の結合突起１０ｂを備え、上記下部本体２０は上記結合突起１０ｂと対応する位置に複数の結合溝２０ａを形成して構成する。
【００６２】
この時、上記結合突起１０ｂと結合溝２０ａの構成は上記下部本体２０の上部に上部本体１０がより堅固に結合された状態を保持することができるようにするためのもので、このような構成も使用者の選択によって多様に変更して適用することができることは勿論である。
【００６３】
以上で説明したように、上記上部本体１０と下部本体２０の結合が上部本体１０のヘッド１０ａに載せられるゴルフボールＢの荷重によって自然に行われ、同時に上記バッテリー部２１の電源が上記発光部１１に選択的に伝達されることができ、上記発光部１１に電源を伝達する場合には、上記上部本体１０の発光部１１、反射板１２、案内孔１３の構成を通じて発光部１１の発光器１１ａの光Ｌが表示しようとする地面Ｇへ円滑に発していくことができる。
【００６４】
一方、上記では上記バッテリー部２１の電源を上記発光部１１に伝達するための構成として、上記第１接点素子１１ｂと第２接点素子２１ｂが選択的に接触される構成を適用して説明したが、上記第１接点素子１１ｂと第２接点素子２１ｂの構成は上記バッテリー部２１と発光部１１が電気的に連結された状態で選択的に電源を供給することができるようにするスイッチング素子（図示しない）で取り替えて構成することもできる。
【００６５】
また、上記下部本体２０は上記上部本体１０と連結した電源を遮断する場合、これを感知して所定期間外部に音響を発信する音響発信部２４をさらに備える。
【００６６】
これは、上記連結部材３０と音響発信部２４の構成を通じて、図７に示すように、上記上部本体１０のヘッドＢに載せられたゴルフボールＢを使用者が打撃して上部本体１０と下部本体２０が分離される場合にも、上記上部本体１０と下部本体２０が完全に分離されることを防止することができ、上記上部本体１０と下部本体２０が地面Ｇに落ちた位置を便利に捜すことができる。
【００６７】
そして、上記音響発信部２４は上記上部本体１０と下部本体２０が分離される場合、設定した時間の間指定された音を外部に発することができる構造で構成される。
【００６８】
さらに、前述した発光器１１ａは供給される電源を通じて光Ｌを発散することができるレーザーポイント、ＬＥＤモジュールは勿論で、発光器１１ａと対向するように位置した反射板１２に光Ｌを伝達することができる構成であれば、使用者の選択によって多様な構成を適用することができる。
【００６９】
一方、本発明は、図１１に示すように、上記上部本体１０に上記発光器１１ａの移動を制御するために貫通結合する調節部４０を設置する。
【００７０】
上記調節部４０は上部本体１０の外側で発光器１１ａの移動を制御するようにするための構成で、このような構成を通じて上記発光器１１ａの光が上記反射板１２に伝達される場合にも発光器１１ａの光方向を使用者が便利に調節しながら用いることができる。
【００７１】
特に、図３、図８、図９、図１０に示すように、上記上部本体１０の内側に設置する反射板１２の形状や設置位置を変更する場合にも上記調節部４０の構成を通じて反射板１２を通じる発光部１１の発光器１１ａの光Ｌの屈折を效率的に行うことができる。
【００７２】
さらに、本発明は、図１０及び図１１に示すように、上記上部本体１０に案内孔１３が上部本体１０の外周面に沿って複数形成されるように構成し、上記反射板１２は上記発光部１１を通じて入射される光Ｌを上記案内孔１３を通じて外部に発散するように形成する。
【００７３】
このような構成は、上記発光部１１の発光器１１ａを通じて発散される光Ｌが反射板１２に入射されて屈折される場合にも、図５に示すように、一方向のみに光Ｌが発するのではなく、地面Ｇに設置したゴルフティーの周りに発光器１１ａの光が発散されるようにするためのものである。
【００７４】
そして、図１２〜図１４に示すように、上記下部本体２０には上記バッテリー部２１の第２接点素子２１ｂと接点を成し、上記バッテリー２１ａに充電器６０の電源を伝達する充電器連結具５０をさらに結合して構成する。
【００７５】
上記充電器連結具５０は従来の充電器６０を連結して下部本体２０に備えられたバッテリー２１ａを充電することができるようにするための構成で、このために、上記充電器連結具５０は充電器６０が連結される充電器挿入溝５２と、上記上部本体１０の第１接点素子１１ｂ、下部本体２０の第２接点素子２１ｂと接点を成すことができる複数の接点素子５１を含んで構成することが好ましい。
【００７６】
また、上記充電器連結具５０は、図１２〜図１４に示すように、上記下部本体２０の上部に結合され、上部本体１０と下部本体２０との間に位置するように結合されることが好ましく、上記第１接点素子１１ｂと第２接点素子２１ｂと接点素子５１を通じて連結することにより、バッテリー部２１のバッテリー２１ａを充電しながらも上部本体１０に備えられた発光部１１を作動させることもできるように構成することがより好ましい。
【符号の説明】
【００７７】
１０：上部本体    
１０ａ：ヘッド  
１０ｂ：結合突起    
１１：発光部  
１１ａ：発光器      
１１ｂ：第１接点素子  
１２：反射板      
１３：案内孔  
２０：下部本体    
２０ａ：結合溝  
２１：バッテリー部    
２１ａ：バッテリー  
２１ｂ：第２接点素子    
２４：音響発信部
３０：連結部材      
Ｂ：ゴルフボール  
Ｇ：地面        
Ｌ：光  
Ｓ：ゴルフクラブ
【図１】
2017086854.tif 000003
【図２】
2017086854.tif 000004
【図３】
2017086854.tif 000005
【図４】
2017086854.tif 000006
【図５】
2017086854.tif 000007
【図６】
2017086854.tif 000008
【図７】
2017086854.tif 000009
【図８】
2017086854.tif 000010
【図９】
2017086854.tif 000011
【図１０】
2017086854.tif 000012
【図１１】
2017086854.tif 000013
【図１２】
2017086854.tif 000014
【図１３】
2017086854.tif 000015
【図１４】
2017086854.tif 000016